(57)【要約】      （修正有）【課題】起動電圧を低下させ、放電起動効率を促進し、ランプが冷熱過程で生成される応力により爆裂するのを防止する気体放電ランプ構造を提供する。【解決手段】気体放電ランプ構造は、放電ランプと、ＵＶ光ユニットと、からなる。放電ランプは、放電室と、放電室両端に沿って延伸する密封帯部と、からなる。放電室内部は電極を設置すると共に、電離可能な気体を充填し、両端の密封帯部は、それぞれ、モリブデン箔をパッケージする。各モリブデン箔は電極導線、および、外部に出る電流導線を連接する。ＵＶ光ユニットは、放電ランプ外部に、独立した気密チャンバを設置する。気密チャンバのチャンバ内は、一種、或いは、それ以上の電離可能な気体を充填し、気密チャンバ外部は導電体を設置し、導電体一端は、金属導線により、放電ランプ中の密封帯部から出る電流導線と連接する。【選択図】図２
0003151296.tif 000002
【実用新案登録請求の範囲】
【請求項１】
気体放電ランプであって、放電ランプ、および、UV光ユニット、からなり、
前記放電ランプは、放電室と、前記放電室両端に沿って延伸する密封帯部と、からなり、前記放電室内部は電極を設置すると共に、電離可能な気体を充填し、両端の前記密封帯部は、それぞれ、モリブデン箔をパッケージし、前記の各モリブデン箔は、それぞれ、電極導線、および、外部に出る電流導線を連接し、    
前記UV光ユニットは、前記放電ランプ外部に、独立した気密チャンバを設置し、前記気密チャンバのチャンバ内は、少なくとも、前記放電ランプの気密帯部のモリブデン箔の全部、或いは、一部を被覆し、前記気密チャンバのチャンバは、一種、或いは、それ以上の電離可能な気体を充填し、前記気密チャンバ外部は導電体を設置し、前記導電体一端は、金属導線により、前記放電ランプ中の密封帯部から出る電流導線と連接することを特徴とする気体放電ランプ。
【請求項２】
前記UV光ユニットの気密チャンバは、予め製造されたガラス管により製作され、熱溶融の方式で、前記放電ランプの表面に連結固定されることを特徴とする請求項１に記載の気体放電ランプ。  
【請求項３】
前記UV光ユニットは、前記放電ランプの密封帯部の外周に、一個の気密チャンバを設置し、前記気密チャンバ外部は導電体を設置し、前記導電体一端は、金属導線により、相対する端の密封帯部から出る電流導線と連接することを特徴とする請求項１に記載の気体放電ランプ。
【請求項４】
前記UV光ユニットは、前記放電ランプ両端の密封帯部の外周に、それぞれ、一個の気密チャンバを設置し、前記の各気密チャンバ外部はそれぞれ導電体を設置し、前記の各導電体一端は、それぞれ、金属導線により、相対端の密封帯部から出る電流導線と連接することを特徴とする請求項１に記載の気体放電ランプ。
【請求項５】
前記UV光ユニットは、前記放電ランプ外部に、前記放電室と両端の密封帯部のモリブデン箔の全部、或いは、一部の気密チャンバを被覆する一個の気密チャンバを設置し、前記気密チャンバ外部は導電体を設置し、前記導電体一端は、金属導線により前記放電ランプの一密封帯部から出る電流導線と連接することを特徴とする請求項１に記載の気体放電ランプ。
【請求項６】
前記導電体の形式は、一、或いは、複数回囲纏された線形導電体、或いは、片状の導電体、或いは、気密チャンバの表面に敷設された膜状の導電体を含むことを特徴とする請求項１に記載の気体放電ランプ。  
【請求項７】
前記UV光ユニットの気密チャンバ内部に充填する電離可能な気体は、Ar（アルゴン）、Hg（水銀）、Kr（クリプトン）、Xe（キセノン）、Ne（ネオン）のどれか一種、或いは、一種以上の混合気体であることを特徴とする請求項１に記載の気体放電ランプ。
【考案の詳細な説明】
【技術分野】
【０００１】
本考案は、気体放電ランプ構造に関するものであって、特に、高輝度の照明要求の用途に提供され、起動電圧を低下し、起動効率を促進し、ランプが冷熱過程で生成される応力により爆裂するのを防止する気体放電ランプに関するものである。
【背景技術】
【０００２】
図１は、公知の高輝度の照明を必要とする例えば、プロジェクタ、交通工具、或いは、その他の特殊な照明器具に用いられる気体放電ランプを示す図である。放電ランプ１はガラス管で製造され、放電室２、および、放電室両側から延伸する密封帯部３、４、からなる。放電室内部は電極５を設置し、電離可能な気体を充填していて、両端の密封帯部３、４は、それぞれ、モリブデン箔６をパッケージし、各モリブデン箔は、それぞれ、電極導線７、および、密封帯部から出る電流導線８から構成される。
上述のような公知の高圧気体放電ランプ構造は、起動遅延が発生しやすく、この起動遅延の状況は、消費者の製品に対する信頼を落とし、また、非常に不便である。更に、高圧気体放電ランプの操作温度が非常に高いので、放電ランプを保護するために、一般に、冷気式の散熱設計を使用している。しかし、操作において、高温状態の放電ランプは冷熱過程で生成される応力により爆裂する状況が発生することがあり、このような予測できない故障も、消費者に交換の不便をもたらし、支出を増やしてしまう。
【考案の概要】
【考案が解決しようとする課題】
【０００３】
本考案の目的は、気体放電ランプ構造を提供し、放電ランプ外部に効果的なUV光ユニットを結合して、放電ランプ起動時に、外部のUV光源を生成して、起動電圧を低下させ、起動効果を促進し、また、放電ランプ外部のUV光ユニットの設置により、放電ランプが冷熱過程で生成される応力により爆裂するのを防止することである。
【課題を解決するための手段】
【０００４】
上述の目的を達成するため、本考案の気体放電ランプ構造は、UV光ユニットの気密チャンバが、予め製造されたガラス管により製作され、熱溶融方式により、放電ランプの表面に連結固定される。このような独立式の気密チャンバ設計は、気密チャンバのチャンバ大小が容易に制御でき、気密チャンバ内の気体組成を単独で制御でき、また、モジュール化量産が便利であるという効果を達成する。
【考案の効果】
【０００５】
本考案は、起動電圧を低下させ、放電起動効率を促進し、ランプが冷熱過程で生成される応力により爆裂するのを防止することができる。
【図面の簡単な説明】
【０００６】
【図１】公知の気体放電ランプの構造図である。
【図２】本考案の第一実施例の外観図である。
【図３】本考案の第一実施例の構造断面図である。
【図４】本考案の第一実施例の放電ランプ両端の密封帯部外周にUV光ユニットを設置した状態を示す図である。
【図５】本考案の第一実施例のUV光ユニットのもう一つの型式を示す図である。
【図６】本考案の第一実施例のUV光ユニットの導電体の実施方式を示す図である。
【実施例１】
【０００７】
図２、および、図３は、本考案の第一実施例を示す図で、本考案の気体放電構造は、放電ランプ１０とUV光ユニット２０からなる。放電ランプ１０は、放電室１１と、放電室１１両端に沿って延伸する密封帯部１２、１３を有する。放電室１１内部は電極１４を有して、電離可能な気体を充填し、両端の密封帯部１２、１３は、それぞれ、モリブデン箔１５をパッケージし、各モリブデン箔１５は、それぞれ、電極導線１６、１７、および、密封帯部１２、１３から出る電流導線１８、１９を連接する。UV光ユニット２０は、放電ランプ１０外部に、独立した気密チャンバ２１を設置し、気密チャンバ２１のチャンバは、少なくとも放電ランプの密封帯部１２のモリブデン箔１５の全部、或いは、一部を被覆し、気密チャンバ２１のチャンバは、一種、或いは、それ以上の電離可能な気体を充填する。気密チャンバ２１の外部は導電体２２を設置し、導電体２２一端は、金属導線２２ａにより、放電ランプ１０の密封帯部１３から出る電流導線１９を電気的に接続する。
第一実施例中、UV光ユニット２０の独立した気密チャンバ２１は、好ましくは、予め製造されたガラス管により製作され、熱溶融の方式で、放電ランプ１０の表面に連結固定される。このような独立式の気密チャンバ２１設計は、気密チャンバ２１のチャンバ大小が容易に制御でき、気密チャンバ２１内の気体組成を単独で制御でき、また、モジュール化量産が便利であるという効果を達成する。気密チャンバ２１は、気密チャンバ２１内部の気体組成を単独で制御でき、放電ランプ１０の起動電圧を減少させ、起動効率を促進するのに実用性があり、例えば、第一実施例の放電ランプ１０がキセノンランプである場合、本考案は、UV光ユニットの気密チャンバ２１を制御して、一種、或いは、それ以上の内部の充填気体が、更に電離が容易に電離して、UV光の電離可能気体、例えば、Ar（アルゴン）/Hg（水銀）の混合気体、或いは、Ne（ネオン）/ Ar（アルゴン）の混合気体を生成する。
第一実施例中、UV光ユニット２０は、少なくとも以下の三種の好ましい実施方式がある。第一種の方式は図２、図３で示され、放電ランプ１０の一密封帯部１２外周に気体チャンバ２１を設置し、気体チャンバ２１外部に導電体２２を設置し、導電体２２一端は、金属導線２２ａにより、相対する端の密封帯部１３から出る電流導線１９と連接する。第二種の方式は図４で示され、放電ランプ１０両端の密封帯部１２、１３外周に、それぞれ、一個の気密チャンバ２１を設置し、各気密チャンバ２１の外部は、それぞれ、導電体２２を設置し、各導電体２２一端は、それぞれ、金属導線２２ａにより、相対する端の密封帯部１２、１３から出る電流導線１８、１９と連接する。第三種の方式は図５で示され、放電ランプ１０外部に、放電室１１、および、両端の密封帯部１２、１３のモリブデン箔１５の全部、或いは、一部を被覆する気密チャンバ２１を設置し、気密チャンバ２１の外部は導電体２２を設置し、導電体２２一端は、金属導線２２ａにより、放電ランプの一密封帯部（１２、或いは、１３）から出る電流導線（１８、或いは、１９）と連接する。
第一実施例中、UV光ユニットの導電体２２は、主に、放電ランプ１０の起動に用いられると同時に、気体チャンバ２１に対応する位置に電界を生成する。導電体２２の型式は制限されず、以下のような実現しやすい型式がある。第一種の方式は図３で示され、気密チャンバ２１外周に、一、或いは、複数の線形導電体２２を囲纏し、導電体２２一端は、相対する端の密封帯部１３から出る電流導線１９と電気的に接続する。もう一種の型式は図６で示され、気密チャンバ２１の側面に片状の導電体２２を設置し、導電体２２は、金属導線２２ａにより、相対する端の密封帯部１３から出る電流導線１９と電気的に接続する。更にもう一つの方式（図示しない）は、気密チャンバ２１の表面に、直接、膜状の導電体２２を敷設し、導電体２２は、金属導線により、相対する端の密封帯部１３から出る電流導線１９と電気的に接続する。
第一実施例中、本考案のUV光ユニット２０の気密チャンバ２１に充填される一種、或いは、それ以上の電離可能な気体は、Ar（アルゴン）、Hg（水銀）、Kr（クリプトン）、Xe（キセノン）、Ne（ネオン）のどれか一種、或いは、一種以上の混合気体である。Ar（アルゴン）/Hg（水銀）の混合気体、或いは、Ne（ネオン）/
Ar（アルゴン）の混合気体を例とすると、１００〜３８０nmのUV光を生成することができ、起動電圧を低下させ、起動効率を促進する目的にとって、前記の混合気体は効果的な充填物である。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
放電ランプ１
放電室２
密封帯部３、４
電極５
モリブデン箔６
電極導線７
電流導線８
放電ランプ１０
放電室１１
密封帯部１２、１３
電極１４
モリブデン箔１５
電極導線１６、１７
電流導線１８、１９
UV光ユニット２０
気密チャンバ２１
導電体２２
金属導線２２ａ
【図１】
0003151296.tif 000003
【図２】
0003151296.tif 000004
【図３】
0003151296.tif 000005
【図４】
0003151296.tif 000006
【図５】
0003151296.tif 000007
【図６】
0003151296.tif 000008